(57)【特許請求の範囲】
【請求項１】
ネットワークにより接続される複数の基地局と、移動局と、を含む通信システムであって、
前記基地局は、
無線通信を行う第１通信部と、
前記ネットワークを介して通信する第２通信部と、
制御部と、を備え、
前記制御部は、
自局が送受信するデータのトラフィック量を算出し、
前記移動局から自局への接続要求に関する無線信号を受信すると、当該接続要求時の受信品質値を算出し、
前記第２通信部を介して他の基地局に、当該他の基地局で受信した前記無線信号の受信品質値を自局に送信するよう要求し、前記他の基地局のうち受信品質値の応答があった基地局に、当該基地局のトラフィック量を自局に送信するよう要求し、
自局における受信品質値とトラフィック量と、他の基地局から受信した受信品質値とトラフィック量とに基づいて前記移動局の接続先となる基地局を選択する、
通信システム。
【請求項２】
前記制御部は、
自局の前記トラフィック量として、上りトラフィック量を算出し、
自局または他の基地局について、それぞれ、
前記受信品質値に基づいて、前記移動局に無線リソースを割り当てた際の割当時上りトラフィック量を算出し、
前記割当時上りトラフィック量と、ネットワークにデータを送信可能な最大送信トラフィック量と、前記上りトラフィック量とに基づいて、空き上りトラフィック量を算出し、
自局における空き上りトラフィック量と、他の基地局における空き上りトラフィック量のうち、空き上りトラフィック量が最大であるものを前記移動局の接続先として選択する、
請求項１に記載の通信システム。
【請求項３】
前記制御部は、
自局の前記トラフィック量として、下りトラフィック量を更に算出し、
自局または他の基地局について、それぞれ、
前記受信品質値に基づいて、前記移動局に無線リソースを割り当てた際の割当時下りトラフィック量を算出し、
前記割当時下りトラフィック量と、前記下りトラフィック量との和が、前記ネットワークからデータを受信可能な最大受信トラフィック量未満であり、かつ、自局における空き上りトラフィック量と、他の基地局における空き上りトラフィック量のうち、空き上りトラフィック量が最大であるものを前記移動局の接続先として選択する、
請求項２に記載の通信システム。
【請求項４】
集線装置を更に含み、
前記基地局の第２通信部は、前記集線装置を介して他の基地局と通信を行う、
請求項１に記載の通信システム。
【請求項５】
前記基地局は、
記憶部を更に備え、
前記制御部は、
前記移動局から他局への接続要求に関する無線信号を受信すると、当該接続要求の受信品質値を算出し、前記移動局の識別信号と対応付けて前記記憶部に記憶する、
請求項１に記載の通信システム。
【請求項６】
ネットワークにより接続される複数の基地局と、移動局と、を含む通信システムの当該基地局であって、
無線通信を行う第１通信部と、
前記ネットワークを介して通信する第２通信部と、
制御部と、を備え、
前記制御部は、
自局が送受信するデータのトラフィック量を算出し、
前記移動局から自局への接続要求に関する無線信号を受信すると、当該接続要求時の受信品質値を算出し、
前記第２通信部を介して他の基地局に、当該他の基地局が受信した前記無線信号の受信品質値を自局に送信するよう要求し、前記他の基地局のうち受信品質値の応答があった基地局に、当該基地局のトラフィック量を自局に送信するよう要求し、
自局における受信品質値とトラフィック量と、他の基地局から受信した受信品質値とトラフィック量とに基づいて前記移動局の接続先となる基地局を選択する、
基地局。
【請求項７】
前記制御部は、
自局の前記トラフィック量として、上りトラフィック量を算出し、
自局または他の基地局について、それぞれ、
前記受信品質値に基づいて、前記移動局に無線リソースを割り当てた際の割当時上りトラフィック量を算出し、
前記割当時上りトラフィック量と、ネットワークにデータを送信可能な最大送信トラフィック量と、前記上りトラフィック量とに基づいて、空き上りトラフィック量を算出し、
自局における空き上りトラフィック量と、他の基地局における空き上りトラフィック量のうち、空き上りトラフィック量が最大であるものを前記移動局の接続先として選択する、
請求項６に記載の基地局。
【請求項８】
前記制御部は、
自局の前記トラフィック量として、下りトラフィック量を更に算出し、
自局または他の基地局について、それぞれ、
前記受信品質値に基づいて、前記移動局に無線リソースを割り当てた際の割当時下りトラフィック量を算出し、
前記割当時下りトラフィック量と、前記下りトラフィック量との和が、前記ネットワークからデータを受信可能な最大受信トラフィック量未満であり、かつ、自局における空き上りトラフィック量と、他の基地局における空き上りトラフィック量のうち、空き上りトラフィック量が最大であるものを前記移動局の接続先として選択する、
請求項７に記載の基地局。
【請求項９】
前記通信システムは、集線装置を更に含み、
前記第２通信部は、前記集線装置を介して他の基地局と通信を行う、
請求項６に記載の基地局。
【請求項１０】
記憶部を更に備え、
前記制御部は、
前記移動局から他局への接続要求に関する無線信号を受信すると、当該接続要求の受信品質値を算出し、前記移動局の識別信号と対応付けて前記記憶部に記憶する、
請求項６に記載の基地局。
【請求項１１】
ネットワークにより接続される複数の基地局と、移動局と、を含む通信システムの通信制御方法であって、
前記基地局は、
自局が送受信するデータのトラフィック量を算出し、
前記移動局から自局への接続要求に関する無線信号を受信すると、当該接続要求時の受信品質値を算出し、
他の基地局に、当該他の基地局で受信した前記無線信号の受信品質値と、当該他の基地局のトラフィック量とを自局に送信するよう要求し、
自局における受信品質値とトラフィック量と、他の基地局から受信した受信品質値とトラフィック量とに基づいて前記移動局の接続先となる基地局を選択する、
通信制御方法。
【請求項１２】
前記基地局は、
自局の前記トラフィック量として、上りトラフィック量を算出し、
自局または他の基地局についておいて、それぞれ、
前記受信品質値に基づいて、前記移動局に無線リソースを割り当てた際の割当時上りトラフィック量を算出し、
前記割当時上りトラフィック量と、ネットワークにデータを送信可能な最大送信トラフィック量と、前記上りトラフィック量とに基づいて、空き上りトラフィック量を算出し、
自局における空き上りトラフィック量と、他の基地局における空き上りトラフィック量のうち、空き上りトラフィック量が最大であるものを前記移動局の接続先として選択する、
ことを特徴とする請求項１１に記載の通信制御方法。
【請求項１３】
前記基地局は、
自局の前記トラフィック量として、更に下りトラフィック量を算出し、
自局または他の基地局についておいて、それぞれ、
前記受信品質値に基づいて、前記移動局に無線リソースを割り当てた際の割当時下りトラフィック量を算出し、
前記割当時下りトラフィック量と、前記下りトラフィック量との和が、前記ネットワークからデータを受信可能な最大受信トラフィック量未満であり、かつ、自局における空き上りトラフィック量と、他の基地局における空き上りトラフィック量のうち、空き上りトラフィック量が最大であるものを前記移動局の接続先として選択する、
ことを特徴とする請求項１２に記載の通信制御方法。
【請求項１４】
前記通信システムは、集線装置を更に含み、
前記基地局は、前記集線装置を介して他の基地局と通信を行う、
請求項１１に記載の通信制御方法。
【請求項１５】
前記基地局は、
前記移動局から他局への接続要求に関する無線信号を受信すると、当該接続要求の受信品質値を算出し、前記移動局の識別信号と対応付けて記憶する、
請求項１１に記載の通信制御方法。
【請求項１６】
ネットワークにより接続される複数の基地局と、移動局と、前記基地局と前記移動局との間でデータを中継する中継局と、を含む通信システムであって、
前記基地局は、
無線通信を行う第１通信部と、
前記ネットワークを介して通信する第２通信部と、
制御部と、を備え、
前記制御部は、
自局が送受信するデータのトラフィック量を算出し、
前記中継局から自局への接続要求に関する無線信号を受信すると、当該接続要求時の受信品質値を算出し、
前記第２通信部を介して他の基地局に、当該他の基地局で受信した前記無線信号の受信品質値を自局に送信するよう要求し、前記他の基地局のうち受信品質値の応答があった基地局に、当該基地局のトラフィック量を自局に送信するよう要求し、
自局における受信品質値とトラフィック量と、他の基地局から受信した受信品質値とトラフィック量とに基づいて前記中継局の接続先となる基地局を選択する、
通信システム。
【発明の詳細な説明】
【技術分野】
【０００１】
本発明は、通信システム、基地局、及び通信制御方法に関するものである。
【背景技術】
【０００２】
基地局と移動局から構成される通信システムにおいて、移動局は、基地局に無線接続して通信を開始する。このとき、移動局は、周囲に存在する複数の基地局のうち、受信品質が最も良い無線信号を送信した基地局を接続先とする。【０００３】
しかしながら、上述の手法では、一部の基地局に接続する移動局が集中し、当該基地局が輻輳状態になるおそれがある。そのため、一部の基地局が輻輳状態になることを回避するため、移動局が、各基地局が送信する当該基地局自身のトラフィック情報を受信して接続先を選択する技術が提案されている（例えば、日本国・特開２００９−１１１７７２号公報を参照）。
【発明の概要】
【発明が解決しようとする課題】
【０００４】
上述の技術では、周囲の移動局にトラフィック情報を送信する無線リソースを確保しなければならず、無線リソースの有効利用を図ることができない。そのため、通信システムにおける無線リソースのさらなる有効利用が望まれる。【０００５】
そこで、本発明は上述の点に鑑みて成されたものであり、通信システムにおける無線リソースの有効利用をさらに図ることが可能な技術を提供することを一の目的とする。
【課題を解決するための手段】
【０００６】
本願発明の一態様に係る通信システムは、ネットワークにより接続される複数の基地局と、移動局と、を含む通信システムであって、前記基地局は、無線通信を行う第１通信部と、前記ネットワークを介して通信する第２通信部と、制御部と、を備え、前記制御部は、自局が送受信するデータのトラフィック量を算出し、前記移動局からの自局への接続要求に関する無線信号を受信すると、当該接続要求時の受信品質値を算出し、前記第２通信部を介して他の基地局に、当該他の基地局で受信した前記無線信号の受信品質値と、当該他の基地局のトラフィック量とを自局に送信するよう要求し、自局における受信品質値とトラフィック量と、他の基地局から受信した受信品質値とトラフィック量とに基づいて前記移動局の接続先となる基地局を選択する。【０００７】
また、前記制御部は、自局の前記トラフィック量として、上りトラフィック量を算出し、自局または他の基地局について、それぞれ、前記受信品質値に基づいて、前記移動局に無線リソースを割り当てた際の割当時上りトラフィック量を算出し、前記割当時上りトラフィック量と、ネットワークにデータを送信可能な最大送信トラフィック量と、前記上りトラフィック量とに基づいて、空き上りトラフィック量を算出し、自局における空き上りトラフィック量と、他の基地局における空き上りトラフィック量のうち、空き上りトラフィック量が最大であるものを前記移動局の接続先として選択するようにしてもよい。【０００８】
また、前記制御部は、自局の前記トラフィック量として、下りトラフィック量を更に算出し、自局または他の基地局について、それぞれ、前記受信品質値に基づいて、前記移動局に無線リソースを割り当てた際の割当時下りトラフィック量を算出し、前記割当時下りトラフィック量と、前記下りトラフィック量との和が、前記ネットワークからデータを受信可能な最大受信トラフィック量未満であり、かつ、自局における空き上りトラフィック量と、他の基地局における空き上りトラフィック量のうち、空き上りトラフィック量が最大であるものを前記移動局の接続先として選択するようにしてもよい。【０００９】
また、前記制御部は、自局への接続要求に関する無線信号を受信すると、他の基地局に、当該他の基地局で算出した受信品質値を自局に送信するよう要求し、他の基地局のうち、受信品質値の応答があった基地局のみに、当該基地局のトラフィック量を自局に送信するよう要求してもよい。【００１０】
また、上記通信システムは、集線装置を更に含み、前記基地局の第２通信部は、前記集線装置を介して他の基地局と通信を行ってもよい。【００１１】
また、前記基地局は、記憶部を更に備え、前記制御部は、前記移動局から他局への接続要求に関する無線信号を受信すると、当該接続要求の受信品質値を算出し、前記移動局の識別信号と対応付けて前記記憶部に記憶してもよい。【００１２】
本願発明の別の態様に係る基地局は、ネットワークにより接続される複数の基地局と、移動局と、から構成される通信システムの当該基地局であって、無線通信を行う第１通信部と、前記ネットワークを介して通信する第２通信部と、制御部と、を備え、前記制御部は、自局が送受信するデータのトラフィック量を算出し、前記移動局からの自局への接続要求に関する無線信号を受信すると、当該接続要求時の受信品質値を算出し、前記第２通信部を介して他の基地局に、当該他の基地局で算出された無線信号の受信品質値と、当該他の基地局のトラフィック量とを自局に送信するよう要求し、自局における受信品質値とトラフィック量と、他の基地局から受信した受信品質値とトラフィック量とに基づいて前記移動局の接続先となる基地局を選択する。【００１３】
本願発明のさらに別の態様に係る通信制御方法は、ネットワークにより接続される複数の基地局と、移動局と、から構成される通信システムの通信制御方法であって、前記基地局は、自局が送受信するデータのトラフィック量を算出し、前記移動局からの自局への接続要求に関する無線信号を受信すると、当該接続要求時の受信品質値を算出し、他の基地局に、当該他の基地局で算出された無線信号の受信品質値と、当該他の基地局のトラフィック量とを自局に送信するよう要求し、自局における受信品質値とトラフィック量と、他の基地局から受信した受信品質値とトラフィック量とに基づいて前記移動局の接続先となる基地局を選択する。【００１４】
本願発明のさらに別の態様に係る通信システムは、ネットワークにより接続される複数の基地局と、移動局と、前記基地局と前記移動局との間でデータを中継する中継局と、を含む通信システムであって、前記基地局は、無線通信を行う第１通信部と、前記ネットワークを介して通信する第２通信部と、制御部と、を備え、前記制御部は、自局が送受信するデータのトラフィック量を算出し、前記中継局から自局への接続要求に関する無線信号を受信すると、当該接続要求時の受信品質値を算出し、前記第２通信部を介して他の基地局に、当該他の基地局で受信した前記無線信号の受信品質値と、当該他の基地局のトラフィック量とを自局に送信するよう要求し、自局における受信品質値とトラフィック量と、他の基地局から受信した受信品質値とトラフィック量とに基づいて前記中継局の接続先となる基地局を選択する。
【発明の効果】
【００１５】
上記構成によれば、通信システムにおける無線リソースの有効利用をさらに図ることができる。
【図面の簡単な説明】
【００１６】
【図１】本発明の一実施形態に係る通信システムの構成を示す図である。
【図２】本発明の一実施形態に係る基地局の構成を示す機能ブロック図である。
【図３】本発明の一実施形態に係る通信システムの処理を示す図である。
【発明を実施するための形態】
【００１７】
以下、本発明に係る一実施形態について、図面を参照して説明する。
【００１８】
図１は、本発明の一実施形態に係る通信システムの構成を示す図である。通信システム１０は、複数の基地局２０（基地局２０ａ〜基地局２０ｆ）と、移動局３０と、集線装置４０とから構成される。
【００１９】
基地局２０は、移動局３０に無線接続するとともに、集線装置４０と回線接続する。そして、基地局２０は、集線装置４０が中継する上位のネットワークからのデータを受信し、当該データを移動局３０に送信する。また、基地局２０は、移動局３０からデータを受信し、集線装置４０を介して当該データを上位のネットワークに送信する。さらに、基地局２０は、集線装置４０を介して、当該集線装置４０に接続する他の基地局２０とデータを送受信することができる。
【００２０】
図２は、本実施形態に係る基地局の構成を示す図である。基地局２０は、通信部２１０と、インターフェース（Ｉ／Ｆ）部２２０と、記憶部２３０と、制御部２４０と、アンテナＡＮＴとを備えている。
【００２１】
通信部２１０は、アンテナＡＮＴを介して移動局３０から送信される上り無線信号を受信してベースバンド信号に変換（ダウンコンバート）後に、復調及び復号処理を行うことでデータを得る。通信部２１０は、得られたデータを制御部２４０に出力する。
【００２２】
また、通信部２１０は、制御部２４０からのデータの符号化及び変調を行ってベースバンド信号を得た後に、該ベースバンド信号を下り無線信号に変換（アップコンバート）する。通信部２１０は、アンテナＡＮＴを介して移動局３０に下り無線信号を送信する。
【００２３】
Ｉ／Ｆ部２２０は、集線装置４０が中継する上位のネットワークから送信された移動局３０宛のデータを受信する。また、ＩＦ部２２０は、移動局３０から受信したデータを、上位のネットワークに向けて送信する。
【００２４】
記憶部２３０は、例えばメモリによって構成され、基地局２０における制御などに用いられる各種情報が記憶される。また、記憶部２３０は、自局が現在処理しているデータのトラフィック量に関するトラフィック情報、集線装置４０にデータを送信可能な最大送信トラフィック量、及び、集線装置４０からデータを受信可能な最大受信トラフィック量が記憶される。
【００２５】
制御部２４０は、例えばＣＰＵによって構成され、基地局２０が具備する各種機能を制御する。また、制御部２４０は、移動局３０とデータを送受信するにあたり、移動局３０への無線リソース割り当て、送信出力、変調方式および符号化率を制御する。
【００２６】
また、制御部２４０は、自局に接続要求を行った移動局３０を自局または他の基地局２０のいずれに接続させるかを選択する。そして、制御部２４０は、接続要求を行なった移動局３０を自局に接続させる場合は、接続要求に対する応答を通知する。一方、制御部２４０は、接続要求を行なった移動局３０を他の基地局２０に接続させる場合は、自局への接続を拒否するとともに、選択した他の基地局２０に接続するよう通知する。
【００２７】
上述の接続要求を行った移動局３０の接続先選択にあたり、制御部２４０は、各基地局２０が処理しているデータのトラフィック量と、当該移動局３０が接続要求時に送信した無線信号から各基地局が算出した受信品質値とを利用する。そのため、制御部２４０は、定期的に自局が処理している、移動局３０から集線装置４０の方向へ（アップリンク）のデータの上りトラフィック量と、集線装置４０から移動局３０の方向へ（ダウンリンク）のデータの下りトラフィック量とを算出する。そして、制御部２４０はこれら算出結果をトラフィック情報として記憶部２３０に記憶する。
【００２８】
なお、移動局３０は特定の基地局２０に対して接続要求を行うために無線信号を移動局３０の周囲に向けて送信する。このため、他の自局に限らず他の基地局２０でも、当該無線信号を受信することができる。そして、制御部２４０は他局で受信した無線信号に関する情報を、接続要求を行った移動局３０の接続先選択に利用する。
【００２９】
詳細には、制御部２４０は、上述の接続要求を行った移動局３０の接続先選択にあたり、集線装置４０を介して、他の基地局２０に対して、当該移動局３０が接続要求時に送信した無線信号の受信品質値と、他の基地局２０のトラフィック情報とを要求し、他の各基地局２０における受信品質値とトラフィック情報とを取得する。そして、制御部２４０は、自局における受信品質値とトラフィック情報と、他の基地局２０における受信品質値とトラフィック情報とを利用して、接続要求を行った移動局３０の接続先を選択する。
【００３０】
制御部２４０は、接続要求を行った移動局３０の接続先を選択する際、まず、自局および他の各基地局２０における受信品質値を利用する。制御部２４０は、取得した受信品質値から、接続要求を行なった移動局３０から自局に無線信号を送信するとき（アップリンク）に設定可能な変調方式のうち、データ送信量が最大のもので生じる割当時上りトラフィック量を算出する。そして、制御部２４０は、算出した割当時上りトラフィック量と、記憶部２３０に記憶する上りトラフィック量との和を算出し、さらに、記憶部２３０に記憶する最大送信トラフィック量と当該算出した和との差である空き上りトラフィック量を算出する。
【００３１】
また、制御部２４０は、自局から接続要求を行なった移動局３０に無線信号を送信するとき（ダウンリンク）における受信品質値が、アップリンクにおける受信品質値と同等であると仮定する。そして、制御部２４０はこの仮定に基づき、取得した受信品質値から、ダウンリンクで設定可能な変調方式のうち、データ送信量が最大のもので生じる割当時下りトラフィック量を算出する。そして、制御部２４０は、算出した割当時下りトラフィック量と、記憶部２３０に記憶する下りトラフィック量との和を算出し、さらに、記憶部２３０に記憶する最大受信トラフィック量と当該算出した和との差である空き下りトラフィック量を算出する。
【００３２】
さらに、制御部２４０は、他の各基地局２０から取得した受信品質値と、トラフィック情報を利用して、同様に、他の各基地局２０における空き上りトラフィック量と空き下りトラフィック量とを算出する。この算出の際、他の基地局２０の最大送信トラフィック量および最大受信トラフィック量は、自局の記憶部２３０があらかじめ記憶しておいてもよいし、または、トラフィック情報と併せて他の基地局２０から受信してもよい。
【００３３】
制御部２４０は、算出した自局及び他の基地局２０における空き上りトラフィック量と空き下りトラフィック量とが０を超えている（最大送信トラフィック量及び最大受信トラフィック量に余裕がある）、自局や他の基地局２０を抽出する。そして、制御部２４０は、抽出した自局、他の基地局２０のうち、割当時上りトラフィック量が最大ものを移動局３０の接続先として選択する。
【００３４】
また、制御部２４０は、他の基地局２０から集線装置４０を介して、移動局３０が接続要求時に送信した無線信号の受信品質値と、トラフィック情報を要求されると、受信品質値とトラフィック情報とを、集線装置４０を介して当該他の基地局２０に送信する。なお、制御部２４０は、他の基地局２０に対して送信された接続要求時の無線信号を受信したときに、当該無線信号の受信品質値を算出し、当該接続要求を行った移動局３０の識別信号と対応付けて記憶部２３０に記憶しておき、要求に含まれる移動局３０の識別信号と一致する移動局３０の受信品質値を送信する。
【００３５】
次に、基地局２０（基地局２０ａ）における、接続要求を行った移動局３０に対する接続先選択処理を、図３を用いて説明する。図３は、通信システム１０を構成する複数の基地局２０（基地局２０ａ〜基地局２０ｆ）及び接続要求を行った移動局３０の動作を示す図である。
【００３６】
図３に示すように、ステップＳ３０１において、移動局３０は、基地局２０ａに接続要求し、基地局２０ａは、当該接続要求を受信する。
【００３７】
ステップＳ３０２において、基地局２０ａは、集線装置４０を介して、周囲に存在する他の基地局２０（基地局２０ｂ〜基地局２０ｆ）に、移動局３０が接続要求時に送信した無線信号の受信品質値と、トラフィック情報とを要求し、他の基地局２０（基地局２０ｂ〜基地局２０ｆ）は、当該要求を受信する。
【００３８】
ステップＳ３０３において、他の基地局２０（基地局２０ｂ〜基地局２０ｆ）は、記憶部２３０に、要求に含まれる移動局３０の識別信号と一致する移動局３０の受信品質値が記憶されている場合は、当該要求に対する応答として当該受信品質値とトラフィック情報とを基地局２０ａに集線装置４０を介して送信し、基地局２０ａは、受信品質値とトラフィック情報とを受信する。例えば、ここでは、基地局２０ｂ及び基地局２０ｃが、当該要求に対する応答として当該受信品質値とトラフィック情報とを基地局２０ａに送信する。一方、基地局２０ｄ〜基地局２０ｆは、要求に含まれる移動局３０の識別信号と一致する移動局３０の受信品質値が記憶されていないので、当該要求に対する応答である当該受信品質値とトラフィック情報とを基地局２０ａに送信しない。
【００３９】
ステップＳ３０４において、基地局２０ａは、自局、基地局２０ｂ、及び基地局２０ｃにおける受信品質値とトラフィック情報とを利用して移動局３０の接続先を選択する。ここでは、基地局２０ａは、移動局３０の接続先として基地局２０ｂを選択する。
【００４０】
ステップＳ３０５において、基地局２０ａは、移動局３０に対し、自局への接続を拒否するとともに、選択した基地局２０ｂに接続するよう通知し、当該移動局３０は、当該通知を受信する。
【００４１】
ステップＳ３０６において、基地局２０ａは、基地局２０ｂに対し、移動局３０に対する無線リソースを確保しておくよう要求し、当該基地局２０ｂは、当該要求を受信する。
【００４２】
ステップＳ３０７において、移動局３０は、基地局２０ｂに対して接続要求し、基地局２０ｂは、当該接続要求を許可する通知を行った上で、移動局３０と基地局２０ｂは、通信を開始する。
【００４３】
このように本実施形態では、基地局２０の制御部２４０が、移動局３０からの接続要求を受信すると、自局及び周囲の他の基地局２０のトラフィック情報を利用して、当該移動局３０の接続先を決定する。これにより、無線リソースを確保することなく当該移動局３０の接続先を決定することができるので、無線リソースを移動局３０とのデータの送受信に割り当てることができ、有効利用を図ることができる。
【００４４】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。
【００４５】
例えば、各部材、各手段、各ステップなどに含まれる機能などは論理的に矛盾しないように再配置可能であり、複数の手段やステップなどを１つに組み合わせたり、或いは分割したりすることが可能である。
【００４６】
上記の実施形態では、基地局２０は集線装置４０を介して他の基地局２０とデータの送受信を行った。しかしながら、通信システム１０が、周囲の基地局と直接データを送受信できるようにネットワークが構成されている場合は、Ｉ／Ｆ部２２０は、他の基地局２０と直接データを送受信するようにする。
【００４７】
また、上記の実施形態では、基地局２０は、他の基地局２０に対して接続要求を行った移動局３０の受信品質値とトラフィック情報とを基地局２０ａに同時に送信するよう要求した。しかしながら、代わりに、基地局２０は、まず、他の基地局２０に対して接続要求を行った移動局３０の受信品質値のみを要求して、当該移動局３０の接続要求時の無線信号を受信して受信品質値を算出できた他の基地局２０のみ、当該受信品質値を応答として送信させ、その後、当該応答を行った他の基地局２０のみに、トラフィック情報を送信するようさらに要求するようにしてもよい。
【００４８】
さらに、上記の実施形態では、基地局２０は、移動局３０からの接続要求時に上述の基地局選択を行ったが、これ以外に、基地局２０と移動局３０との間でデータを中継する中継局が接続要求を行った場合も、同様の処理を行ってよい。
【００４９】
本出願は、２０１１年８月２５日出願の日本特許出願・出願番号２０１１―１８３５６７に基づくものであり、その内容はここに参照として取り込まれる。
【符号の説明】
【００５０】
１０ 通信システム、２０ 基地局、３０ 移動局、４０ 集線装置、２１０ 通信部、２２０ Ｉ／Ｆ部、２３０ 記憶部、２４０ 制御部、ＡＮＴ アンテナ。
【図１】
0005642287.tif 000002
【図２】
0005642287.tif 000003
【図３】
0005642287.tif 000004